(57)【要約】【課題】画質の低下を抑制する。【解決手段】電気光学装置は、第１信号線、第２信号線および第３信号線と、極性が所定の電圧を基準にして所定の周期で反転する第１画像信号を、第１書き込み期間に第１信号線に供給し、極性が所定の電圧を基準にして所定の周期で反転する第２画像信号を、第１書き込み期間の後の第２書き込み期間に第２信号線に供給し、極性が所定の電圧を基準にして所定の周期で反転する第３画像信号を、第２書き込み期間の後の第３書き込み期間に第３信号線に供給する信号線駆動回路と、片チャネル型のトランジスターを含み、プリチャージ信号を、第２書き込み期間と重なるプリチャージ期間に第３信号線に供給するプリチャージ回路と、プリチャージ期間の開始タイミングを、第１画像信号の極性に応じて、変更するタイミング制御回路と、を備える。【選択図】図２
2020085989.tif 000002
【特許請求の範囲】
【請求項１】
第１信号線、第２信号線および第３信号線と、
極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、
片チャネル型のトランジスターを含み、プリチャージ信号を、前記第２書き込み期間と重なるプリチャージ期間に前記第３信号線に供給するプリチャージ回路と、
前記プリチャージ期間の開始タイミングを、前記第１画像信号の極性に応じて、変更するタイミング制御回路と、
を備えていることを特徴とする電気光学装置。
【請求項２】
前記片チャネル型のトランジスターは、ソースおよびドレインの一方でプリチャージ信号を受け、他方が前記第３信号線に接続されるＮチャネル型のトランジスターであり、
前記タイミング制御回路は、前記第１画像信号の極性が正極性の場合、前記第１画像信号の極性が負極性の場合に比べて、前記プリチャージ期間の開始タイミングを早くする、
ことを特徴とする請求項１に記載の電気光学装置。
【請求項３】
前記タイミング制御回路は、前記第１画像信号の極性が正極性である場合、前記第１書き込み期間が終了してから前記第２書き込み期間が開始するまでに前記プリチャージ期間を開始させる、
ことを特徴とする請求項１または２に記載の電気光学装置。
【請求項４】
前記タイミング制御回路は、前記プリチャージ期間の長さを、前記第１画像信号の極性に応じて変更する、
ことを特徴とする請求項１から３のいずれか１項に記載の電気光学装置。
【請求項５】
第１信号線、第２信号線および第３信号線と、
極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、
片チャネル型のトランジスターを含み、プリチャージ信号を、前記第２書き込み期間と重なるプリチャージ期間に前記第３信号線に供給するプリチャージ回路と、
前記プリチャージ期間の長さを、前記第１画像信号の極性に応じて、変更するタイミング制御回路と、
を備えていることを特徴とする電気光学装置。
【請求項６】
前記信号線駆動回路は、ソースおよびドレインの一方で前記第１画像信号を受け、他方が前記第１信号線に接続される第１のＮチャネル型のトランジスターと、ソースおよびドレインの一方で前記第２画像信号を受け、他方が前記第２信号線に接続される第２のＮチャネル型のトランジスターと、ソースおよびドレインの一方で前記第３画像信号を受け、他方が前記第３信号線に接続される第３のＮチャネル型のトランジスターとを含み、
前記タイミング制御回路は、前記第１画像信号の極性が負極性の場合、前記第１画像信号の極性が正極性の場合に比べて、前記プリチャージ期間の長さを短くする、
ことを特徴とする請求項４または５に記載の電気光学装置。
【請求項７】
第１信号線、第２信号線および第３信号線と、極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、片チャネル型のトランジスターを含み、プリチャージ信号を、前記第２書き込み期間と重なるプリチャージ期間に前記第３信号線に供給するプリチャージ回路とを備える電気光学装置の駆動方法であって、
前記プリチャージ期間の開始タイミングを、前記第１画像信号の極性に応じて、変更する、
ことを特徴とする電気光学装置の駆動方法。
【請求項８】
第１信号線、第２信号線および第３信号線と、極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、片チャネル型のトランジスターを含み、プリチャージ信号を、前記第２書き込み期間と重なるプリチャージ期間に前記第３信号線に供給するプリチャージ回路とを備える電気光学装置の駆動方法であって、
前記プリチャージ期間の長さを、前記第１画像信号の極性に応じて、変更する、
ことを特徴とする電気光学装置の駆動方法。
【請求項９】
請求項１から６のいずれか１項に記載の電気光学装置を備えることを特徴とする電子機器。
【発明の詳細な説明】
【技術分野】
【０００１】
本発明は、電気光学装置、電気光学装置の駆動方法および電子機器に関する。
【背景技術】
【０００２】
液晶素子を用いて画像を表示する電気光学装置は、各画素の階調を指定する画像信号に基づくビデオ電圧を、信号線を介して各画素に供給することで、各画素が有する液晶の透過率をビデオ電圧に基づく透過率に制御する。この結果、各画素の階調は、画像信号で指定される階調に設定される。
【０００３】
各画素にビデオ電圧を供給する時間を十分に確保できない場合等、各画素へのビデオ電圧の書き込みが不十分な場合には、各画素が画像信号の指定する階調を正確に表示することができない場合がある。このため、従来の電気光学装置では、例えば、信号線を所定の電圧レベルに予め充電するプリチャージを実行することで、各画素に対するビデオ電圧の書き込み不足を対策している。例えば、特許文献１には、１水平走査期間に、複数の信号線のうちの一部の信号線に対するプリチャージと、ビデオ電圧の画素への書き込みとを同時に実行する電気光学装置が開示されている。
【先行技術文献】
【特許文献】
【０００４】
【特許文献１】特開２０１５−１０６１０８号公報
【発明の概要】
【発明が解決しようとする課題】
【０００５】
しかし、プリチャージ信号の電圧は、正極性書き込み時と負極性書き込みとで電圧が異なるため、プリチャージ信号の信号線への供給を制御するプリチャージ選択トランジスターにＮチャネル型のトランジスターを採用した場合、プリチャージ選択トランジスターのゲート電位とプリチャージ信号との電位差が小さい正極性書き込み時は、負極性書き込み時に比べて、プリチャージ信号の書き込みが困難であるという課題がある。
【課題を解決するための手段】
【０００６】
上記課題を解決するために本発明の電気光学装置の一態様は、第１信号線、第２信号線および第３信号線と、極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、片チャネル型のトランジスターを含み、プリチャージ信号を、前記第２書き込み期間と重なるプリチャージ期間に前記第３信号線に供給するプリチャージ回路と、前記プリチャージ期間の開始タイミングを、前記第１画像信号の極性に応じて、変更するタイミング制御回路と、を備えている。
【０００７】
また、本発明に係る電気光学装置の一態様は、第１信号線、第２信号線および第３信号線と、極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、片チャネル型のトランジスターを含み、プリチャージ信号を、前記第２書き込み期間と重なるプリチャージ期間に前記第３信号線に供給するプリチャージ回路と、前記プリチャージ期間の長さを、前記第１画像信号の極性に応じて、変更するタイミング制御回路と、を備えている。
【０００８】
また、本発明に係る電気光学装置の駆動方法の一態様は、第１信号線、第２信号線および第３信号線と、極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、片チャネル型のトランジスターを含み、プリチャージ信号を、前記第２書き込み期間と重なるプリチャージ期間に前記第３信号線に供給するプリチャージ回路とを備える電気光学装置の駆動方法であって、前記プリチャージ期間の開始タイミングを、前記第１画像信号の極性に応じて、変更する。
【０００９】
また、本発明に係る電気光学装置の駆動方法の一態様は、第１信号線、第２信号線および第３信号線と、極性が所定の電圧を基準にして所定の周期で反転する第１画像信号を、第１書き込み期間に前記第１信号線に供給し、極性が前記所定の電圧を基準にして所定の周期で反転する第２画像信号を、前記第１書き込み期間の後の第２書き込み期間に前記第２信号線に供給し、極性が前記所定の電圧を基準にして所定の周期で反転する第３画像信号を、前記第２書き込み期間の後の第３書き込み期間に前記第３信号線に供給する信号線駆動回路と、片チャネル型のトランジスターを含み、プリチャージ信号を、前記第２書き込み期間と重なるプリチャージ期間に前記第３信号線に供給するプリチャージ回路とを備える電気光学装置の駆動方法であって、前記プリチャージ期間の長さを、前記第１画像信号の極性に応じて、変更する。
【図面の簡単な説明】
【００１０】
【図１】本発明の実施形態に係る電気光学装置の説明図である。
【図２】電気光学装置の構成を示すブロック図である。
【図３】画素の構成を示す回路図である。
【図４】電気光学装置の動作の概要を示すタイミング図である。
【図５】正極性駆動における書き込み選択信号とプリチャージ制御信号とのタイミング関係を示す図である。
【図６】負極性駆動における書き込み選択信号とプリチャージ制御信号とのタイミング関係を示す図である。
【図７】電気光学装置の動作タイミングの一例を示す図である。
【図８】電気光学装置の動作の一例を示すフローチャートである。
【図９】変形例１における電気光学装置の構成を示すブロック図である。
【図１０】電子機器の一例であるパーソナルコンピューターを示す斜視図である。
【図１１】電子機器の一例であるスマートフォンを示す正面図である。
【図１２】電子機器の一例である投射型表示装置を示す模式図である。
【発明を実施するための形態】
【００１１】
＜実施形態＞
本発明の実施形態について図１から図８を参照しつつ説明する。図１は、本発明の実施形態に係る電気光学装置１の説明図である。なお、図１は、電気光学装置１に対する信号伝送系の構成を示す。電気光学装置１は、電気光学パネル１００と、ドライバーＩＣ（Integrated Circuit）等の駆動用集積回路２００と、フレキシブル回路基板３００とを有する。電気光学パネル１００は、駆動用集積回路２００が搭載されるフレキシブル回路基板３００に接続される。また、電気光学パネル１００は、フレキシブル回路基板３００および駆動用集積回路２００を介して、図示しないホストＣＰＵ（Central Processing Unit）装置に接続される。駆動用集積回路２００は、画像信号および駆動制御のための各種の制御信号をホストＣＰＵ装置からフレキシブル回路基板３００を介して受信し、フレキシブル回路基板３００を介して電気光学パネル１００を駆動する装置である。
【００１２】
図２は、電気光学装置１の構成を示すブロック図である。電気光学装置１の電気光学パネル１００は、ｍ本の走査線１１０、ｎ本の信号線１１１、表示領域１２０、走査線駆動回路１３０、ｋ個のデマルチプレクサー１４０［１］〜１４０［ｋ］、プリチャージ回路１５０および検査回路１６０を有する。なお、ｍ、ｎおよびｋは、自然数である。図２に示す例では、ｎ本の信号線１１１が８個の信号線１１１を含むｋ個の信号線群に分類されるため、ｋはｎを８で除算して得られる値である。また、電気光学パネル１００は、ｍ本の走査線１１０およびｎ本の信号線１１１の他に、ｋ本のデータ線１１２、プリチャージ制御信号線１１３、書き込み選択信号線１１４、プリチャージ電源線１１５、図３に示す容量線１１６およびコモン線１１７等を有する。なお、図２では、図を見やすくするために、図３に示す容量線１１６およびコモン線１１７の記載を省略している。電気光学装置１の駆動用集積回路２００は、データ線駆動回路２１０、制御回路２１２およびプリチャージ電源２２０を有する。
【００１３】
表示領域１２０は、画像を表示する領域である。例えば、表示領域１２０は、ｍ本の走査線１１０とｎ本の信号線１１１との各交差に対応して設けられる画素１２２を含む。画素１２２は、図３に示すように、印加電圧に応じて透過率が変化する液晶１２３ｃを含む液晶素子１２３を有する。液晶１２３ｃに印加される電圧に応じて液晶１２３ｃの透過率が変化することにより、画素１２２の表示階調が変化する。図２では、図の一番上側に記載されている画素１２２の行を１行目とし、図の一番左側に記載されている画素１２２の列を１列目とする。
【００１４】
なお、電気光学装置１では、電気光学材料の電気的な劣化を防止するため、液晶素子１２３に印加する電圧の極性を一定周期毎に反転する極性反転駆動が採用される。例えば、電気光学装置１は、信号線１１１を介して画素１２２に供給する画像信号Ｓのレベルを、画像信号Ｓの中心電圧に対して１垂直走査期間毎に反転する。なお、極性を反転させる周期は任意に設定することができ、例えば、垂直走査期間の自然数倍であってもよい。本明細書においては、画像信号Ｓの電圧が中心電圧等の所定の電圧に対して高電圧となる場合を正極性とし、画像信号Ｓの電圧が所定の電圧に対して低電圧となる場合を負極性とする。
【００１５】
走査線駆動回路１３０は、駆動用集積回路２００の制御回路２１２から受ける制御信号に基づいて走査信号Ｇ［１］〜Ｇ［ｍ］を生成し、走査信号Ｇ［１］〜Ｇ［ｍ］をｍ本の走査線１１０の各々に出力する。例えば、走査線駆動回路１３０は、垂直走査期間内に各走査線１１０に対する走査信号Ｇ［１］〜Ｇ［ｍ］を１水平走査期間毎に順次アクティブにする。なお、例えば、走査信号Ｇは、ハイレベル等の選択電圧に維持されている期間にアクティブとなり、ローレベル等の非選択電圧に維持されている期間に非アクティブとなる。
【００１６】
具体的には、第ｐ行に対応する走査信号Ｇ［ｐ］が選択電圧に維持されている期間では、第ｐ行に対応する走査線１１０が選択状態であり、第ｐ行のｎ個の画素１２２の各々が有する各液晶１２３ｃは、ｎ本の信号線１１１にそれぞれ電気的に接続される。なお、ｐは、１〜ｍの自然数である。また、走査信号Ｇ［ｐ］が非選択電圧に維持されている期間では、第ｐ行に対応する走査線１１０が非選択状態であり、第ｐ行のｎ個の画素１２２の各々が有する各液晶１２３ｃとｎ本の信号線１１１との間の電気的な接続状態は、非導通状態である。
【００１７】
ｋ個のデマルチプレクサー１４０［１］〜１４０［ｋ］は、ｋ個の信号線群にそれぞれ対応している。例えば、ｋ個のデマルチプレクサー１４０［１］〜１４０［ｋ］は、データ線駆動回路２１０からｋ本のデータ線１１２［１］〜１１２［ｋ］にそれぞれ供給される画像信号Ｓをそれぞれ受ける。なお、本実施形態では、信号線１１１を８本単位で区分しているため、１本のデータ線１１２に８画素分の画像信号Ｓがデータ線駆動回路２１０から時分割で供給される。したがって、各デマルチプレクサー１４０は、対応する信号線群に含まれる８本の信号線１１１に画像信号Ｓを時分割で供給する。
【００１８】
各デマルチプレクサー１４０は、対応する信号線群に含まれる８本の信号線１１１にそれぞれ接続される８個の書き込み選択トランジスター１４２［１］〜１４２［８］を有する。すなわち、ｉを１〜ｋの自然数とすると、デマルチプレクサー１４０［ｉ］の８個の書き込み選択トランジスター１４２［１］〜１４２［８］の各々の一方の接点は、８×ｉ−７列目から８×ｉ列目までの８本の信号線１１１にそれぞれ接続される。そして、デマルチプレクサー１４０［ｉ］の８個の書き込み選択トランジスター１４２［１］〜１４２［８］の各々の他方の接点、すなわち、信号線１１１に接続されていない接点は、データ線１１２［ｉ］に共通に接続される。ｋ本のデータ線１１２［１］〜１１２［ｋ］は、フレキシブル回路基板３００を介して駆動用集積回路２００のデータ線駆動回路２１０に接続される。
【００１９】
デマルチプレクサー１４０［ｉ］の書き込み選択トランジスター１４２［１］〜１４２［８］は、書き込み選択信号ＳＬ［１］〜ＳＬ［８］に応じて、信号線１１１とデータ線１１２［ｉ］との間の電気的な接続状態を導通状態と非導通状態との間で切り替える。例えば、書き込み選択トランジスター１４２［１］〜１４２［８］は、ＴＦＴ（thin film transistor）等で構成されるＮチャネル型のトランジスターであり、ゲート等の制御端子で受ける書き込み選択信号ＳＬ［１］〜ＳＬ［８］のレベルに応じて、導通状態と非導通状態とのいずれかに設定される。すなわち、図２に示す例では、書き込み選択トランジスター１４２［１］〜１４２［８］は、ソースおよびドレインの一方で画像信号Ｓを受け、他方が信号線１１１に接続されるＮチャネル型のトランジスターである。
【００２０】
なお、書き込み選択トランジスター１４２［１］〜１４２［８］は、ＴＦＴ以外のスイッチング素子でもよい。また、書き込み選択トランジスター１４２［１］〜１４２［８］は、Ｐチャネル型のトランジスターでもよい。以下では、書き込み選択信号ＳＬ［ｊ］で制御される書き込み選択トランジスター１４２［ｊ］は、第ｊ系列の書き込み選択トランジスター１４２とも称される。なお、ｊは、１以上８以下の自然数である。また、第ｊ系列の書き込み選択トランジスター１４２［ｊ］に接続される信号線１１１は、第ｊ系列の信号線１１１とも称される。したがって、書き込み選択信号ＳＬの符号の角括弧内の数字等は、制御対象の信号線１１１の系列番号に対応する。同様に、後述するプリチャージ制御信号ＰＳＬの角括弧内の数字等も、制御対象の信号線１１１の系列番号に対応する。互いに異なる３つの系列の信号線１１１のうちの１つの系列の信号線１１１は、第１信号線の一例であり、他の２つの系列のちの１つの系列の信号線１１１は、第２信号線の一例であり、残りの系列の信号線１１１は、第３信号線の一例である。また、互いに異なる３つの系列のうちの１つの系列の信号線１１１に接続される書き込み選択トランジスター１４２は、第１のＮチャネル型のトランジスターの一例である。そして、他の２つの系列のちの１つの系列の信号線１１１に接続される書き込み選択トランジスター１４２は、第２のＮチャネル型のトランジスターの一例であり、残りの系列の信号線１１１に接続される書き込み選択トランジスター１４２は、第３のＮチャネル型のトランジスターの一例である。
【００２１】
各デマルチプレクサー１４０の８個の書き込み選択トランジスター１４２［１］〜１４２［８］は、書き込み選択信号ＳＬ［１］〜ＳＬ［８］を、駆動用集積回路２００の制御回路２１２から書き込み選択信号線１１４を介して受ける。書き込み選択信号線１１４は、フレキシブル回路基板３００を介して駆動用集積回路２００の制御回路２１２に接続される。書き込み選択信号ＳＬ［１］〜ＳＬ［８］は、図４等に示すように、信号線１１１に画像信号Ｓを供給する書き込み期間Ｔｗｒｔを規定する。
【００２２】
例えば、第ｊ系列の書き込み選択トランジスター１４２［ｊ］が受ける書き込み選択信号ＳＬ［ｊ］がハイレベル等の選択電圧に維持されている期間は、第ｊ系列の信号線１１１に画像信号Ｓを供給する書き込み期間Ｔｗｒｔである。以下、第ｊ系列の信号線１１１に画像信号Ｓを供給する書き込み期間Ｔｗｒｔは、第ｊ系列の書き込み期間Ｔｗｒｔとも称される。第ｊ系列の信号線１１１が第１信号線の一例である場合、第ｊ系列の書き込み期間Ｔｗｒｔは、第１書き込み期間の一例であり、第ｊ系列の信号線１１１が第２信号線の一例である場合、第ｊ系列の書き込み期間Ｔｗｒｔは、第２書き込み期間の一例であり、第ｊ系列の信号線１１１が第３信号線の一例である場合、第ｊ系列の書き込み期間Ｔｗｒｔは、第３書き込み期間の一例である。
【００２３】
具体的には、１個の書き込み選択信号ＳＬ［１］がハイレベル、他の７個の書き込み選択信号ＳＬ［２］〜ＳＬ［８］がローレベルである場合には、ｋ個のデマルチプレクサー１４０［１］〜１４０［ｋ］の各々に含まれるｋ個の書き込み選択トランジスター１４２［１］のみが導通状態となる。したがって、ｋ個のデマルチプレクサー１４０［１］〜１４０［ｋ］の各々は、ｋ本のデータ線１１２に供給される画像信号Ｓを各信号線群の第１系列の信号線１１１にそれぞれ出力する。以下、同様にして、ｋ個のデマルチプレクサー１４０［１］〜１４０［ｋ］の各々は、ｋ本のデータ線１１２に供給される画像信号Ｓを各信号線群の第２系列、第３系列、第４系列、第５系列、第６系列、第７系列および第８系列の信号線１１１にそれぞれ出力する。
【００２４】
プリチャージ回路１５０は、プリチャージ制御信号ＰＳＬ［１］〜ＰＳＬ［８］に基づいて、ｎ本の信号線１１１にプリチャージ信号ＰＲＣを所定の順序で供給する。なお、プリチャージ信号ＰＲＣは、プリチャージ電源２２０からプリチャージ電源線１１５を介してプリチャージ回路１５０に供給される。また、プリチャージ制御信号ＰＳＬ［１］〜ＰＳＬ［８］は、制御回路２１２からプリチャージ制御信号線１１３を介してプリチャージ回路１５０に供給される。なお、本実施形態では、信号線１１１を８個の系列に区分しているため、プリチャージ制御信号線１１３の数は、８本である。
【００２５】
例えば、プリチャージ回路１５０は、ｋ個の信号線群にそれぞれ対応して設けられるｋ個のプリチャージ選択回路１５２［１］〜１５２［ｋ］を有する。そして、各プリチャージ選択回路１５２は、対応する信号線群に含まれる８本の信号線１１１にそれぞれ接続される８個のプリチャージ選択トランジスター１５４［１］〜１５４［８］を有する。すなわち、プリチャージ選択トランジスター１５４は、信号線１１１に対応して設けられる。例えば、プリチャージ選択回路１５２［ｉ］の８個のプリチャージ選択トランジスター１５４［１］〜１５４［８］の各々の一方の接点は、８×ｉ−７列目から８×ｉ列目までの８本の信号線１１１にそれぞれ接続される。そして、プリチャージ選択回路１５２［ｉ］の８個のプリチャージ選択トランジスター１５４［１］〜１５４［８］の各々の他方の接点、すなわち、信号線１１１に接続されていない接点は、プリチャージ電源線１１５に共通に接続される。プリチャージ電源線１１５は、フレキシブル回路基板３００を介して駆動用集積回路２００のプリチャージ電源２２０に接続される。
【００２６】
プリチャージ選択トランジスター１５４［１］〜１５４［８］は、プリチャージ制御信号ＰＳＬ［１］〜ＰＳＬ［８］に応じて、信号線１１１とプリチャージ電源線１１５との間の電気的な接続状態を導通状態と非導通状態との間で切り替える。例えば、プリチャージ選択トランジスター１５４［１］〜１５４［８］は、ＴＦＴ等で構成されるＮチャネル型のトランジスターであり、ゲート等の制御端子で受けるプリチャージ制御信号ＰＳＬのレベルに応じて、導通状態と非導通状態とのいずれかに設定される。すなわち、図２に示す例では、プリチャージ選択トランジスター１５４［１］〜１５４［８］は、ソースおよびドレインの一方でプリチャージ信号ＰＲＣを受け、他方が信号線１１１に接続されるＮチャネル型のトランジスターである。なお、プリチャージ選択トランジスター１５４［１］〜１５４［８］は、ＴＦＴ以外のスイッチング素子でもよい。
【００２７】
各プリチャージ選択回路１５２のプリチャージ選択トランジスター１５４［１］〜１５４［８］は、プリチャージ制御信号ＰＳＬ［１］〜ＰＳＬ［８］を、駆動用集積回路２００の制御回路２１２からプリチャージ制御信号線１１３を介して受ける。プリチャージ制御信号線１１３は、フレキシブル回路基板３００を介して駆動用集積回路２００の制御回路２１２に接続される。プリチャージ制御信号ＰＳＬ［１］〜ＰＳＬ［８］は、図４等に示すように、信号線１１１にプリチャージ信号ＰＲＣを供給するプリチャージ期間Ｔｐｒｃを規定する。例えば、第ｊ系列のプリチャージ選択トランジスター１５４［ｊ］が受けるプリチャージ制御信号ＰＳＬ［ｊ］がハイレベル等の選択電圧に維持されている期間は、第ｊ系列の信号線１１１にプリチャージ信号ＰＲＣを供給するプリチャージ期間Ｔｐｒｃである。
【００２８】
具体的には、１個のプリチャージ制御信号ＰＳＬ［１］がハイレベル、他の７個のプリチャージ制御信号ＰＳＬ［２］〜ＰＳＬ［８］がローレベルである場合には、ｋ個のプリチャージ選択回路１５２［１］〜１５２［ｋ］の各々に含まれるｋ個のプリチャージ選択トランジスター１５４［１］のみが導通状態となる。したがって、ｋ個のプリチャージ選択回路１５２［１］〜１５２［ｋ］の各々は、プリチャージ電源線１１５に供給されるプリチャージ信号ＰＲＣを各信号線群の第１系列の信号線１１１にそれぞれ出力する。以下、同様にして、ｋ個のプリチャージ選択回路１５２［１］〜１５２［ｋ］の各々は、プリチャージ電源線１１５に供給されるプリチャージ信号ＰＲＣを各信号線群の第２系列、第３系列、第４系列、第５系列、第６系列、第７系列および第８系列の信号線１１１にそれぞれ出力する。すなわち、プリチャージ回路１５０は、プリチャージ制御信号ＰＳＬ［ｊ］で規定されるプリチャージ期間Ｔｐｒｃに、第ｊ系列の信号線１１１にプリチャージ信号ＰＲＣを供給する。
【００２９】
検査回路１６０は、ｎ本の信号線１１１を検査する検査動作において、信号線１１１の断線および互いに隣接する信号線１１１の短絡等を検査する。検査動作では、検査回路１６０とｎ本の信号線１１１との間の電気的な接続状態が導通状態に設定され、画像信号Ｓに応じて画像を表示する通常動作では、検査回路１６０とｎ本の信号線１１１との間の電気的な接続状態が非導通状態に設定される。なお、図２では、図を見やすくするために、信号線１１１の検査に用いられる検査パッドの記載を省略している。
【００３０】
図２に示す電気光学パネル１００では、検査回路１６０は、複数本の信号線１１１のうち一の信号線１１１における画像信号Ｓの入力端を始点にして一の信号線１１１の延在する方向を第１方向Ｄ１とする場合、表示領域１２０に対して、第１方向Ｄ１の側に配置される。なお、プリチャージ回路１５０は、表示領域１２０に対して、第１方向Ｄ１と反対方向の側に配置される。
【００３１】
データ線駆動回路２１０は、８画素分の画像信号Ｓを時系列的なシリアル信号として、各デマルチプレクサー１４０に出力する。例えば、データ線駆動回路２１０は、画像信号Ｓ［１］〜Ｓ［８］をデマルチプレクサー１４０［１］に順番に出力するとともに、画像信号Ｓ［ｎ−７］〜Ｓ［ｎ］をデマルチプレクサー１４０［ｋ］に順番に出力する。同じ系列の信号線１１１に供給される画像信号Ｓは、データ線駆動回路２１０から各デマルチプレクサー１４０に並列に出力される。すなわち、データ線駆動回路２１０は、同じ系列の信号線１１１に供給するそれぞれの画像信号Ｓを、複数の信号線群の各々に並列に出力する。
【００３２】
なお、電気光学装置１では、極性反転駆動が採用されているため、データ線駆動回路２１０から各デマルチプレクサー１４０に出力される画像信号Ｓの極性は、所定の電圧を基準にして所定の周期で反転する。画像信号Ｓの極性の反転は、データ線駆動回路２１０により実行されてもよいし、データ線駆動回路２１０以外の機能ブロックにより実行されてもよい。画像信号Ｓの極性を所定の電圧を基準にして所定の周期で反転する方法は、既知であるため説明を省略する。
【００３３】
データ線駆動回路２１０から各デマルチプレクサー１４０に出力される画像信号Ｓは、極性が所定の電圧を基準にして所定の周期で反転する第１画像信号、第２画像信号および第３画像信号の一例である。また、上述のデマルチプレクサー１４０は、第１画像信号を第１書き込み期間に第１信号線に供給し、第２画像信号を第２書き込み期間に第２信号線に供給し、第３画像信号を第３書き込み期間に第３信号線に供給する信号線駆動回路の一例である。
【００３４】
制御回路２１２は、走査線駆動回路１３０、デマルチプレクサー１４０およびプリチャージ回路１５０等を同期制御する。例えば、制御回路２１２は、走査線駆動回路１３０の動作を制御する制御信号を走査線駆動回路１３０に出力し、書き込み選択信号ＳＬをデマルチプレクサー１４０に出力し、プリチャージ制御信号ＰＳＬをプリチャージ回路１５０に出力する。
【００３５】
なお、制御回路２１２は、プリチャージ制御信号ＰＳＬをプリチャージ回路１５０に出力するタイミングおよびプリチャージ制御信号ＰＳＬを選択電圧に維持する期間の一方または両方を、画像信号Ｓの極性に応じて変更する。すなわち、制御回路２１２は、プリチャージ期間Ｔｐｒｃの開始タイミングおよびプリチャージ期間Ｔｐｒｃの長さの一方または両方を、画像信号Ｓの極性に応じて変更する。制御回路２１２は、タイミング制御回路の一例である。プリチャージ制御信号ＰＳＬをプリチャージ回路１５０に出力するタイミングの詳細は、図４および図５で説明する。
【００３６】
プリチャージ電源２２０は、画像信号Ｓの極性に基づく電圧のプリチャージ信号ＰＲＣを、プリチャージ電源線１１５に供給する。すなわち、画像信号Ｓが正極性である場合と負極性である場合とで、プリチャージ信号ＰＲＣの電圧は異なる。例えば、画像信号Ｓが負極性である場合のプリチャージ信号ＰＲＣの電圧は、画像信号Ｓが正極性である場合のプリチャージ信号ＰＲＣの電圧より低電圧である。
【００３７】
なお、電気光学装置１の構成は、図２に示す例に限定されない。例えば、走査線駆動回路１３０の動作を制御する制御信号を走査線駆動回路１３０に出力する機能ブロックおよび書き込み選択信号ＳＬをデマルチプレクサー１４０に出力する機能ブロックの一方または両方は、制御回路２１２とは別に設けられてもよい。
【００３８】
図３は、画素１２２の構成を示す回路図である。各画素１２２は、液晶素子１２３、保持容量１２４および画素トランジスター１２５を有する。液晶素子１２３は、互いに対向する画素電極１２３ａおよびコモン電極１２３ｂと、画素電極１２３ａおよびコモン電極１２３ｂ間に配置される液晶１２３ｃとを含む電気光学素子である。画素電極１２３ａとコモン電極１２３ｂとの間の印加電圧に応じて液晶１２３ｃの透過率が変化することにより、表示階調が変化する。なお、コモン電極１２３ｂには、コモン線１１７を介して、一定の電圧であるコモン電圧Ｖｃｏｍが供給される。
【００３９】
保持容量１２４は、液晶素子１２３と並列に設けられている。保持容量１２４の一方の端子は、画素トランジスター１２５に接続され、他方の端子は、容量線１１６に接続される。そして、保持容量１２４の他方の端子には、容量線１１６を介して、コモン電圧Ｖｃｏｍが供給される。
【００４０】
画素トランジスター１２５は、例えば、ＴＦＴ等で構成されるＮチャネル型のトランジスターであり、液晶素子１２３と信号線１１１との間に設けられる。そして、画素トランジスター１２５は、ゲートに接続される走査線１１０に供給される走査信号Ｇのレベルに応じて、導通状態と非導通状態とのいずれかに設定される。すなわち、画素トランジスター１２５は、液晶素子１２３と信号線１１１との間の電気的な接続を制御する。例えば、走査信号Ｇ［ｐ］が選択電圧に設定されることで、第ｐ行目の各画素１２２における画素トランジスター１２５が同時またはほぼ同時に導通状態に遷移する。
【００４１】
画素トランジスター１２５が導通状態に制御されると、液晶素子１２３には、信号線１１１から供給される画像信号Ｓが印加される。液晶１２３ｃは、画像信号Ｓが印加されることにより、画像信号Ｓに基づく透過率に設定される。この結果、各画素１２２の階調は、画像信号Ｓで指定される階調に設定される。例えば、図示しない光源が点灯状態になると、光源から出射される光は、画素１２２が有する液晶素子１２３の液晶１２３ｃを透過して、電気光学装置１の外部に出力される。すなわち、液晶素子１２３に画像信号Ｓが印加され、かつ、光源が点灯状態となることで、画素１２２は、画像信号Ｓに基づく階調を表示する。
【００４２】
また、液晶素子１２３と並列に設けられる保持容量１２４は、液晶素子１２３に印加される電圧に充電される。すなわち、各画素１２２は、画像信号Ｓに対応する電位を保持容量１２４に保持する。
【００４３】
ところで、プリチャージ信号ＰＲＣが信号線１１１に供給されると、信号線１１１の電位の変化が結合容量１１８を介して容量線１１６に伝播する場合がある。この場合、プリチャージによる容量線１１６の電位変動が収まる前に、信号線１１１への画像信号Ｓの供給が終了すると、容量線１１６の電位変動が収まる時刻より後の期間における信号線１１１の電位は、画像信号Ｓの供給の終了時の信号線１１１の電位からずれる。
【００４４】
したがって、プリチャージによる容量線１１６の電位変動が収まる前に、信号線１１１への画像信号Ｓの供給が終了すると、画素１２２への書き込み精度が低下し、画質が低下する。プリチャージ期間Ｔｐｒｃの終了から書き込み期間Ｔｗｒｔの終了までの時間を長くすることにより、プリチャージによる容量線１１６の電位変動が収まるまでの時間を確保することができる。このため、電気光学装置１では、プリチャージ期間Ｔｐｒｃの開始タイミングおよびプリチャージ期間Ｔｐｒｃの長さの一方または両方を画像信号Ｓの極性に応じて変更することにより、プリチャージによる容量線１１６の電位変動が収まるまでの時間が不足することを抑制する。次に、図４を用いて、プリチャージ期間Ｔｐｒｃの開始タイミングおよびプリチャージ期間Ｔｐｒｃの長さを画像信号Ｓの極性に応じて変更する場合の電気光学装置１の動作の概要を説明する。
【００４５】
図４は、電気光学装置１の動作の概要を示すタイミング図である。図４に示す水平走査期間Ｈｐ［１］は、正極性の画像信号Ｓに基づくビデオ電圧を１行目の画素１２２に書き込むための水平走査期間であり、水平走査期間Ｈｎ［１］は、負極性の画像信号Ｓに基づくビデオ電圧を１行目の画素１２２に書き込むための水平走査期間である。正極性駆動では、電圧Ｖｐｒｃｐのプリチャージ信号ＰＲＣがプリチャージ電源線１１５に供給され、負極性駆動では、電圧Ｖｐｒｃｐより低い電圧Ｖｐｒｃｎのプリチャージ信号ＰＲＣがプリチャージ電源線１１５に供給される。
【００４６】
容量線１１６に供給されるコモン電圧Ｖｃｏｍを固定とする場合、画像信号Ｓの極性によって画像信号Ｓの電圧範囲が異なるため、プリチャージに最適な電圧も、画像信号Ｓの極性によって異なる。例えば、コモン電圧Ｖｃｏｍを７Ｖとする場合、正極性駆動における画像信号Ｓの電圧範囲は７Ｖから１２Ｖであり、負極性駆動における画像信号Ｓの電圧範囲は２Ｖから７Ｖであり、電圧Ｖｐｒｃｐは４Ｖであり、電圧Ｖｐｒｃｎは２Ｖである。また、書き込み選択信号ＳＬおよびプリチャージ制御信号ＰＳＬは、例えば、ハイレベルの場合、１５．５Ｖであり、ローレベルの場合、０Ｖである。なお、コモン電圧Ｖｃｏｍの電圧値等は、上述の数値例に限定されない。先ず、正極性駆動における水平走査期間Ｈｐの動作タイミングを説明する。
【００４７】
正極性駆動における水平走査期間Ｈｐ［１］では、１行目の走査線１１０に供給される走査信号Ｇ［１］がハイレベルに設定される。１行目以外の走査線１１０に供給される走査信号Ｇは、ローレベルに維持される。書き込み選択信号ＳＬ［１］〜ＳＬ［８］の各々のハイレベル期間は、書き込み選択信号ＳＬ［１］、ＳＬ［３］、ＳＬ［５］、ＳＬ［７］、ＳＬ［２］、ＳＬ［４］、ＳＬ［６］およびＳＬ［８］の順に切り替わる。すなわち、第１系列の信号線１１１から第８系列の信号線１１１までの各系列の信号線１１１に対して、画像信号Ｓの書き込み期間Ｔｗｒｔが順番に割り当てられる。この結果、各系列の信号線１１１に画像信号Ｓが順番に供給される。
【００４８】
また、書き込み選択信号ＳＬ［１］、ＳＬ［３］、ＳＬ［５］、ＳＬ［７］、ＳＬ［２］、ＳＬ［４］およびＳＬ［６］の各々のハイレベル期間の切り替わりに合わせて、プリチャージ制御信号ＰＳＬ［３］、ＰＳＬ［５］、ＰＳＬ［７］、ＰＳＬ［２］、ＰＳＬ［４］、ＰＳＬ［６］およびＰＳＬ［８］の各々のハイレベル期間が切り替わる。すなわち、プリチャージ制御信号ＰＳＬ［２］〜ＰＳＬ［８］の各々のハイレベル期間は、プリチャージ制御信号ＰＳＬ［３］、ＰＳＬ［５］、ＰＳＬ［７］、ＰＳＬ［２］、ＰＳＬ［４］、ＰＳＬ［６］およびＰＳＬ［８］の順に切り替わる。水平走査期間Ｈｐ［１］では、プリチャージ制御信号ＰＳＬ［１］は、ローレベルに維持される。
【００４９】
例えば、制御回路２１２は、画像信号Ｓ［４］と画像信号Ｓ［６］と画像信号Ｓ［８］とが順に第４系列の信号線１１１、第６系列の信号線１１１および第８系列の信号線１１１に供給される場合、第４系列の書き込み期間Ｔｗｒｔが終了してから第６系列の書き込み期間Ｔｗｒｔが開始するまでに第８系列のプリチャージ期間Ｔｐｒｃを開始させる。そして、制御回路２１２は、第８系列のプリチャージ期間Ｔｐｒｃを第６系列の書き込み期間Ｔｗｒｔ内に終了させる。
【００５０】
具体的には、制御回路２１２は、プリチャージ制御信号ＰＳＬ［８］を、書き込み選択信号ＳＬ［６］をハイレベルに遷移させるタイミングに対して先行時間ｔｌｐだけ先行してハイレベルに遷移させ、プリチャージ時間ｔｐｐの経過後にローレベルに遷移させる。すなわち、正極性駆動では、プリチャージ制御信号ＰＳＬ［８］は、プリチャージ時間ｔｐｐだけ選択電圧に維持される。したがって、プリチャージ時間ｔｐｐは、正極性駆動におけるプリチャージ期間Ｔｐｒｃの長さである。なお、プリチャージ期間Ｔｐｒｃの長さであるプリチャージ時間ｔｐｐは、先行時間ｔｌｐと書き込み期間Ｔｗｒｔの長さとを足した時間より短い。
【００５１】
電気光学装置１では、プリチャージ期間Ｔｐｒｃの開始タイミングが書き込み期間Ｔｗｒｔの開始タイミングと同じ場合に比べて、プリチャージ期間Ｔｐｒｃの終了から書き込み期間Ｔｗｒｔの終了までの時間を先行時間ｔｌｐの分だけ長くすることができる。この結果、電気光学装置１は、プリチャージによる容量線１１６の電位変動が収まるまでの時間が不足することを抑制できる。次に、負極性駆動における水平走査期間Ｈｎの動作タイミングを説明する。
【００５２】
負極性駆動における水平走査期間Ｈｎ［１］の動作タイミングでは、先行時間ｔｌｎおよびプリチャージ時間ｔｐｎが正極性駆動における先行時間ｔｌｐおよびプリチャージ時間ｔｐｐと相違する。負極性駆動における水平走査期間Ｈｎ［１］のその他の動作タイミングは、正極性駆動における水平走査期間Ｈｐ［１］の動作タイミングと同じである。このため、以下では、先行時間ｔｌｎおよびプリチャージ時間ｔｐｎを中心に説明する。
【００５３】
制御回路２１２は、プリチャージ制御信号ＰＳＬ［８］を、書き込み選択信号ＳＬ［６］をハイレベルに遷移させるタイミングに対して先行時間ｔｌｎだけ先行してハイレベルに遷移させ、プリチャージ時間ｔｐｎの経過後にローレベルに遷移させる。なお、負極性駆動における先行時間ｔｌｎは、正極性駆動における先行時間ｔｌｐより短い。したがって、負極性駆動では、プリチャージ制御信号ＰＳＬ［８］は、正極性駆動の場合に比べて遅いタイミングでハイレベルに遷移する。また、負極性駆動におけるプリチャージ時間ｔｐｎは、正極性駆動におけるプリチャージ時間ｔｐｐより短い。したがって、負極性駆動では、正極性駆動に比べて、プリチャージ制御信号ＰＳＬ［８］が選択電圧に維持されている期間は、短い。
【００５４】
すなわち、負極性駆動では、プリチャージ期間Ｔｐｒｃの開始タイミングは、正極性駆動の場合に比べて遅く、プリチャージ期間Ｔｐｒｃの長さは、正極性駆動の場合に比べて短い。図４に示す例では、書き込み期間Ｔｗｒｔの長さは、正極性駆動と負極性駆動とで同じである。負極性駆動においても、プリチャージ期間Ｔｐｒｃの長さであるプリチャージ時間ｔｐｎを、先行時間ｔｌｎと書き込み期間Ｔｗｒｔの長さとを足した時間より短くすることにより、プリチャージによる容量線１１６の電位変動が収まるまでの時間の不足を抑制することができる。以下では、先行時間ｔｌｐおよびｔｌｎは、先行時間ｔｌｐおよびｔｌｎを区別する必要が無い場合等、単に、先行時間ｔｌとも称され、プリチャージ時間ｔｐｐおよびｔｐｎは、プリチャージ時間ｔｐｐおよびｔｐｎを区別する必要が無い場合等、単に、プリチャージ時間ｔｐとも称される。
【００５５】
図４に示す例では、制御回路２１２は、先行時間ｔｌおよびプリチャージ時間ｔｐの両方を画像信号Ｓの極性に応じて変更することにより、プリチャージ期間Ｔｐｒｃの開始タイミングおよびプリチャージ期間Ｔｐｒｃの長さの両方を画像信号Ｓの極性に応じて変更する。なお、制御回路２１２は、先行時間ｔｌおよびプリチャージ時間ｔｐのうち、先行時間ｔｌのみを画像信号Ｓの極性に応じて変更してもよいし、先行時間ｔｌおよびプリチャージ時間ｔｐのうち、プリチャージ時間ｔｐのみを画像信号Ｓの極性に応じて変更してもよい。すなわち、制御回路２１２は、プリチャージ期間Ｔｐｒｃの開始タイミングおよびプリチャージ期間Ｔｐｒｃの長さの一方のみを画像信号Ｓの極性に応じて変更してもよい。
【００５６】
図５は、正極性駆動における書き込み選択信号ＳＬとプリチャージ制御信号ＰＳＬとのタイミング関係を示す図である。なお、図５は、画像信号Ｓ［１］、Ｓ［３］およびＳ［５］が画像信号Ｓ［１］、Ｓ［３］およびＳ［５］の順に第１系列、第３系列および第５系列の信号線１１１にそれぞれ供給される場合の書き込み選択信号ＳＬ［１］およびＳＬ［３］とプリチャージ制御信号ＰＳＬ［５］とのタイミング関係を示す。図５に示す例では、第１系列の信号線１１１は第１信号線の一例であり、第３系列の信号線１１１は第２信号線の一例であり、第５系列の信号線１１１は第３信号線の一例である。また、図５に示す例では、第１系列の書き込み期間Ｔｗｒｔ［１］は第１書き込み期間の一例であり、第３系列の書き込み期間Ｔｗｒｔ［３］は第２書き込み期間の一例であり、図５に図示していない第５系列の書き込み期間Ｔｗｒｔ［５］は第３書き込み期間の一例である。また、第１系列の書き込み期間Ｔｗｒｔ［１］に第１系列の信号線１１１に供給される画像信号Ｓは第１画像信号の一例であり、第３系列の書き込み期間Ｔｗｒｔ［３］に第３系列の信号線１１１に供給される画像信号Ｓは第２画像信号の一例であり、図５に図示していない第５系列の書き込み期間Ｔｗｒｔ［５］に第５系列の信号線１１１に供給される画像信号Ｓは第３画像信号の一例である。
【００５７】
図５の先行時間ｔｌｐは、第５系列のプリチャージ期間Ｔｐｒｃ［５］が開始してから第３系列の書き込み期間Ｔｗｒｔ［３］が開始するまでの時間を示し、プリチャージ時間ｔｐｐは、第５系列のプリチャージ期間Ｔｐｒｃ［５］が開始してから終了するまでの時間を示す。また、図５のゲート・ソース電圧Ｖｇｓｐは、第５系列のプリチャージ期間Ｔｐｒｃ［５］におけるプリチャージ選択トランジスター１５４［５］のゲートおよびソース間の電圧を示す。図５の電圧Ｖｖｉｄｐは、正極性駆動における画像信号Ｓの最高電圧を示し、電圧範囲ＶＲｐは、正極性駆動における画像信号Ｓの電圧範囲を示す。なお、図５では、正極性駆動における画像信号Ｓの最低電圧をコモン電圧Ｖｃｏｍとして、書き込み選択信号ＳＬとプリチャージ制御信号ＰＳＬとのタイミング関係を説明する。
【００５８】
時刻ｔ１０において、書き込み選択信号ＳＬ［１］がハイレベルに遷移し、第１系列の書き込み期間Ｔｗｒｔ［１］が開始する。時刻ｔ２０において、書き込み選択信号ＳＬ［１］がローレベルに遷移し、第１系列の書き込み期間Ｔｗｒｔ［１］が終了する。すなわち、時刻ｔ２０は、第１系列の書き込み期間Ｔｗｒｔ［１］の終了タイミングである。そして、時刻ｔ３０において、書き込み選択信号ＳＬ［１］の電圧がコモン電圧Ｖｃｏｍに到達する。書き込み選択信号ＳＬ［１］の電圧がコモン電圧Ｖｃｏｍに到達することにより、書き込み選択トランジスター１４２［１］は、導通状態から非導通状態に遷移する。より正確には、書き込み選択信号ＳＬ［１］の電圧が、書き込み選択トランジスター１４２［１］の閾値電圧をコモン電圧Ｖｃｏｍに足した電圧に到達することにより、書き込み選択トランジスター１４２［１］は、導通状態から非導通状態に遷移する。以下では、説明の簡便化のために、書き込み選択トランジスター１４２［１］の閾値電圧をコモン電圧Ｖｃｏｍに足した電圧もコモン電圧Ｖｃｏｍとして説明する。
【００５９】
時刻ｔ４０において、プリチャージ制御信号ＰＳＬ［５］がハイレベルに遷移し、第５系列のプリチャージ期間Ｔｐｒｃ［５］が開始する。時刻５０において、書き込み選択信号ＳＬ［３］がハイレベルに遷移し、第３系列の書き込み期間Ｔｗｒｔ［３］が開始する。そして、時刻ｔ６０において、プリチャージ制御信号ＰＳＬ［５］がローレベルに遷移し、第５系列のプリチャージ期間Ｔｐｒｃ［５］が終了する。すなわち、時刻ｔ６０は、第５系列のプリチャージ期間Ｔｐｒｃ［５］の終了タイミングである。時刻ｔ７０において、書き込み選択信号ＳＬ［３］がローレベルに遷移し、第３系列の書き込み期間Ｔｗｒｔ［３］が終了する。このように、第３系列の書き込み期間Ｔｗｒｔ［３］と第５系列のプリチャージ期間Ｔｐｒｃ［５］とは、一部が重なっている。
【００６０】
図５に示すように、正極性駆動では、時刻ｔ３０と時刻ｔ５０との間の時刻ｔ４０を第５系列のプリチャージ期間Ｔｐｒｃ［５］の開始タイミングに設定することにより、第３系列の書き込み期間Ｔｗｒｔ［３］の開始に先行させて第５系列のプリチャージ期間Ｔｐｒｃ［５］の開始させることができる。この結果、第５系列のプリチャージ期間Ｔｐｒｃ［５］が終了してから第３系列の書き込み期間Ｔｗｒｔ［３］が終了するまでの時間である安定化時間ｔｓｔｐを、第５系列のプリチャージ期間Ｔｐｒｃ［５］の開始を第３系列の書き込み期間Ｔｗｒｔ［３］の開始に先行させない場合に比べて、長くすることができる。安定化時間ｔｓｔｐが長いほど、画像信号Ｓに基づくビデオ電圧を画素１２２に精度よく書き込むことができ、画質を向上させることができる。
【００６１】
なお、時刻ｔ３０より前の時刻を第５系列のプリチャージ期間Ｔｐｒｃ［５］の開始タイミングに設定すると、書き込み選択トランジスター１４２［１］が導通状態であるため、第５系列の信号線１１１のプリチャージの開始に伴い発生する容量線１１６のノイズの影響により、第１系列の信号線１１１に対する画像信号Ｓの書き込み精度が低下する。
【００６２】
また、時刻ｔ５０より後の時刻を第５系列のプリチャージ期間Ｔｐｒｃ［５］の開始タイミングに設定すると、安定化時間ｔｓｔｐを確保するために、第５系列のプリチャージ期間Ｔｐｒｃ［５］の長さが短くなり、第５系列の信号線１１１に対するプリチャージ信号ＰＲＣの書き込み精度が低下する。
【００６３】
電気光学装置１は、時刻ｔ３０と時刻ｔ５０との間の時刻ｔ４０を第５系列のプリチャージ期間Ｔｐｒｃ［５］の開始タイミングに設定することにより、第１系列の信号線１１１に対する画像信号Ｓの書き込み精度および第５系列の信号線１１１に対するプリチャージ信号ＰＲＣの書き込み精度の低下を抑制しつつ、第１系列の信号線１１１に対する画像信号Ｓの書き込み精度の低下を抑制できる。
【００６４】
図６は、負極性駆動における書き込み選択信号ＳＬとプリチャージ制御信号ＰＳＬとのタイミング関係を示す図である。なお、図６は、画像信号Ｓが信号線１１１に供給される順番が図５と同じ場合の書き込み選択信号ＳＬ［１］およびＳＬ［３］とプリチャージ制御信号ＰＳＬ［５］とのタイミング関係を示す。図５と同様な動作については、詳細な説明を省略する。図６に示す例においても、第１系列の信号線１１１は第１信号線の一例であり、第３系列の信号線１１１は第２信号線の一例であり、第５系列の信号線１１１は第３信号線の一例である。また、図６に示す例においても、第１系列の書き込み期間Ｔｗｒｔ［１］は第１書き込み期間の一例であり、第３系列の書き込み期間Ｔｗｒｔ［３］は第２書き込み期間の一例であり、図６に図示していない第５系列の書き込み期間Ｔｗｒｔ［５］は第３書き込み期間の一例である。また、第１系列の書き込み期間Ｔｗｒｔ［１］に第１系列の信号線１１１に供給される画像信号Ｓは第１画像信号の一例であり、第３系列の書き込み期間Ｔｗｒｔ［３］に第３系列の信号線１１１に供給される画像信号Ｓは第２画像信号の一例であり、図６に図示していない第５系列の書き込み期間Ｔｗｒｔ［５］に第５系列の信号線１１１に供給される画像信号Ｓは第３画像信号の一例である。
【００６５】
図６の先行時間ｔｌｎは、第５系列のプリチャージ期間Ｔｐｒｃ［５］が開始してから第３系列の書き込み期間Ｔｗｒｔ［３］が開始するまでの時間を示し、プリチャージ時間ｔｐｎは、第５系列のプリチャージ期間Ｔｐｒｃ［５］が開始してから終了するまでの時間を示す。また、図５のゲート・ソース電圧Ｖｇｓｎは、第５系列のプリチャージ期間Ｔｐｒｃ［５］におけるプリチャージ選択トランジスター１５４［５］のゲートおよびソース間の電圧を示す。図６の電圧Ｖｖｉｄｎは、負極性駆動における画像信号Ｓの最低電圧を示し、電圧範囲ＶＲｎは、負極性駆動における画像信号Ｓの電圧範囲を示す。なお、図６では、負極性駆動における画像信号Ｓの最高電圧をコモン電圧Ｖｃｏｍとして、書き込み選択信号ＳＬとプリチャージ制御信号ＰＳＬとのタイミング関係を説明する。
【００６６】
時刻ｔ１０において、書き込み選択信号ＳＬ［１］がハイレベルに遷移し、第１系列の書き込み期間Ｔｗｒｔ［１］が開始する。時刻ｔ２０において、書き込み選択信号ＳＬ［１］がローレベルに遷移し、第１系列の書き込み期間Ｔｗｒｔ［１］が終了する。そして、時刻ｔ３２において、書き込み選択信号ＳＬ［１］の電圧が電圧Ｖｖｉｄｎに到達する。書き込み選択信号ＳＬ［１］の電圧が電圧Ｖｖｉｄｎに到達することにより、書き込み選択トランジスター１４２［１］は、導通状態から非導通状態に遷移する。より正確には、書き込み選択信号ＳＬ［１］の電圧が、書き込み選択トランジスター１４２［１］の閾値電圧を電圧Ｖｖｉｄｎに足した電圧に到達することにより、書き込み選択トランジスター１４２［１］は、導通状態から非導通状態に遷移する。以下では、説明の簡便化のために、書き込み選択トランジスター１４２［１］の閾値電圧を電圧Ｖｖｉｄｎに足した電圧も電圧Ｖｖｉｄｎとして説明する。
【００６７】
時刻ｔ４２において、プリチャージ制御信号ＰＳＬ［５］がハイレベルに遷移し、第５系列のプリチャージ期間Ｔｐｒｃ［５］が開始する。時刻５０において、書き込み選択信号ＳＬ［３］がハイレベルに遷移し、第３系列の書き込み期間Ｔｗｒｔ［３］が開始する。そして、時刻ｔ６０において、プリチャージ制御信号ＰＳＬ［５］がローレベルに遷移し、第５系列のプリチャージ期間Ｔｐｒｃ［５］が終了する。時刻ｔ７０において、書き込み選択信号ＳＬ［３］がローレベルに遷移し、第３系列の書き込み期間Ｔｗｒｔ［３］が終了する。
【００６８】
負極性駆動においても、電気光学装置１は、時刻ｔ３２と時刻ｔ５０との間の時刻ｔ４２を第５系列のプリチャージ期間Ｔｐｒｃの開始タイミングに設定することにより、第１系列の信号線１１１に対する画像信号Ｓの書き込み精度および第５系列の信号線１１１に対するプリチャージ信号ＰＲＣの書き込み精度の低下を抑制しつつ、第１系列の信号線１１１に対する画像信号Ｓの書き込み精度の低下を抑制できる。なお、負極性駆動では、例えば、第３系列の書き込み期間Ｔｗｒｔ［３］の開始後に第５系列のプリチャージ期間Ｔｐｒｃ［５］が開始しても、第５系列のプリチャージ期間Ｔｐｒｃ［５］の長さを短くすることにより安定化時間ｔｓｔｐを確保できる場合がある。この場合、制御回路２１２は、第６系列の書き込み期間Ｔｗｒｔの開始以降に第５系列のプリチャージ期間Ｔｐｒｃ［５］を開始させてもよい。以下では、安定化時間ｔｓｔｐおよびｔｓｔｎは、安定化時間ｔｓｔｐおよびｔｓｔｎを区別する必要が無い場合等、単に、安定化時間ｔｓｔとも称される。
【００６９】
ここで、図５の正極性駆動と図６の負極性駆動とを比較すると、正極性駆動における画像信号Ｓの最低電圧であるコモン電圧Ｖｃｏｍは、負極性駆動における画像信号Ｓの最低電圧である電圧Ｖｖｉｄｎより高い。このため、正極性駆動では、負極性駆動に比べて、ハイレベルの書き込み選択信号ＳＬ［１］が選択状態電圧から画像信号Ｓの最低電圧に到達するまでにかかる時間は、短い。したがって、電気光学装置１では、正極性駆動における先行時間ｔｌｐを負極性駆動における先行時間ｔｌｎより長くすることができる。具体的には、制御回路２１２は、画像信号Ｓの極性が正極性の場合、画像信号Ｓの極性が負極性の場合に比べて、プリチャージ期間Ｔｐｒｃの開始タイミングを早くする。
【００７０】
なお、例えば、負極性駆動において、時刻ｔ３０と時刻ｔ３２との間の時刻が第５系列のプリチャージ期間Ｔｐｒｃ［５］の開始タイミングに設定されると、コモン電圧Ｖｃｏｍより低い電圧Ｖｖｉｄｎが第１系列の信号線１１１に供給される場合、書き込み選択トランジスター１４２［１］は、導通状態である。この場合、第５系列の信号線１１１のプリチャージの開始に伴い発生する容量線１１６のノイズの影響により、第１系列の信号線１１１に対する画像信号Ｓの書き込み精度が低下する。なお、図６では、図５の正極性駆動と図６の負極性駆動との比較を容易にするために、書き込み選択信号ＳＬ［１］の電圧がコモン電圧Ｖｃｏｍに到達する時刻を時刻ｔ３０としているが、ハイレベルの書き込み選択信号ＳＬ［１］がコモン電圧Ｖｃｏｍに到達するまでにかかる時間は、正極性駆動と負極性駆動とで同じとは限らない。
【００７１】
電気光学装置１では、正極性駆動におけるプリチャージ期間Ｔｐｒｃの開始タイミングを負極性駆動におけるプリチャージ期間Ｔｐｒｃの開始タイミングより早くするため、プリチャージ期間Ｔｐｒｃの開始タイミングを正極性駆動と負極性駆動とで共通にしている場合に比べて、正極性駆動におけるプリチャージ時間ｔｐｐを負極性駆動におけるプリチャージ時間ｔｐｎより長くすることができる。この結果、プリチャージ期間Ｔｐｒｃの開始タイミングを正極性駆動と負極性駆動とで共通にしている場合に比べて、正極性駆動におけるプリチャージ信号ＰＲＣの書き込み精度と負極性駆動におけるプリチャージ信号ＰＲＣの書き込み精度にバラツキが生じることを抑制することができる。
また、正極性駆動におけるプリチャージ期間Ｔｐｒｃの開始タイミングを負極性駆動におけるプリチャージ期間Ｔｐｒｃの開始タイミングより早くするため、プリチャージ期間Ｔｐｒｃの開始タイミングを正極性駆動と負極性駆動とで共通にしている場合に比べて、正極性駆動における安定化時間ｔｓｔｐを長くすることができる。この結果、プリチャージ期間Ｔｐｒｃの開始タイミングを正極性駆動と負極性駆動とで共通にしている場合に比べて、正極性駆動における画像信号Ｓの書き込み精度の低下を抑制することができる。
【００７２】
さらに、図５の正極性駆動と図６の負極性駆動とを比較すると、電圧Ｖｐｒｃｐが電圧Ｖｐｒｃｎより高電圧であるため、正極性駆動におけるゲート・ソース電圧Ｖｇｓｐは、負極性駆動におけるゲート・ソース電圧Ｖｇｓｎより小さい。換言すると、負極性駆動におけるゲート・ソース電圧Ｖｇｓｎは、正極性駆動におけるゲート・ソース電圧Ｖｇｓｐより大きい。このため、負極性駆動では、正極性駆動に比べて、プリチャージ選択トランジスター１５４が信号線１１１を駆動する能力は、大きい。したがって、電気光学装置１では、負極性駆動におけるプリチャージ時間ｔｐｎを正極性駆動におけるプリチャージ時間ｔｐｐより短くすることができる。具体的には、制御回路２１２は、画像信号Ｓの極性が負極性の場合、画像信号Ｓの極性が正極性の場合に比べて、プリチャージ期間Ｔｐｒｃの長さを短くする。すなわち、正極性駆動におけるプリチャージ期間Ｔｐｒｃの長さを、負極性駆動におけるプリチャージ期間Ｔｐｒｃの長さよりも長くする。この結果、プリチャージ期間Ｔｐｒｃの長さを正極性駆動と負極性駆動とで共通にしている場合に比べて、正極性駆動におけるプリチャージ信号ＰＲＣの書き込み精度と負極性駆動におけるプリチャージ信号ＰＲＣの書き込み精度にバラツキが生じることを抑制することができる。
また、負極性駆動では、プリチャージ期間Ｔｐｒｃの長さを短くすることにより、安定化時間ｔｓｔｎを長くすることができる。
【００７３】
すなわち、電気光学装置１では、負極性駆動におけるプリチャージ期間Ｔｐｒｃの長さを正極性駆動におけるプリチャージ期間Ｔｐｒｃの長さより短くするため、プリチャージ期間Ｔｐｒｃの長さを正極性駆動と負極性駆動とで共通にしている場合に比べて、負極性駆動における安定化時間ｔｓｔｎを長くすることができる。すなわち、正極性駆動におけるプリチャージ期間Ｔｐｒｃの長さを、負極性駆動におけるプリチャージ期間Ｔｐｒｃの長さよりも長くする。この結果、プリチャージ期間Ｔｐｒｃの長さを正極性駆動と負極性駆動とで共通にしている場合に比べて、正極性駆動におけるプリチャージ信号ＰＲＣの書き込み精度と負極性駆動におけるプリチャージ信号ＰＲＣの書き込み精度にバラツキが生じることを抑制することができる。
また、この結果、プリチャージ期間Ｔｐｒｃの長さを正極性駆動と負極性駆動とで共通にしている場合に比べて、負極性駆動における画像信号Ｓの書き込み精度の低下を抑制することができる。なお、図６では、図５の正極性駆動と図６の負極性駆動との比較を容易にするために、第５系列のプリチャージ期間Ｔｐｒｃ［５］が終了する時刻を時刻ｔ６０とし、負極性駆動における安定化時間ｔｓｔｎを正極性駆動における安定化時間ｔｓｔｐと同じにしているが、負極性駆動における安定化時間ｔｓｔｎは、正極性駆動における安定化時間ｔｓｔｐと異なる時間でもよい。
【００７４】
図７は、電気光学装置１の動作タイミングの一例を示す図である。なお、図７は、正極性駆動における水平走査期間Ｈｐ［１］、Ｈｐ［２］およびＨｐ［ｍ］の動作タイミングを示す。各水平走査期間Ｈｐにおける先行時間ｔｌｐおよびプリチャージ時間ｔｐｐについては、図５の先行時間ｔｌｐおよびプリチャージ時間ｔｐｐと同様であるため、説明を省略する。また、水平走査期間Ｈｐ［１］については、図４で説明しているため、詳細な説明を省略する。
【００７５】
水平走査期間Ｈｐ［１］では、１行目の走査線１１０に供給される走査信号Ｇ［１］がハイレベルに設定され、１行目以外の走査線１１０に供給される走査信号Ｇは、ローレベルに維持される。書き込み選択信号ＳＬ［１］〜ＳＬ［８］の各々のハイレベル期間は、書き込み選択信号ＳＬ［１］、ＳＬ［３］、ＳＬ［５］、ＳＬ［７］、ＳＬ［２］、ＳＬ［４］、ＳＬ［６］およびＳＬ［８］の順に切り替わる。また、書き込み選択信号ＳＬ［１］、ＳＬ［３］、ＳＬ［５］、ＳＬ［７］、ＳＬ［２］、ＳＬ［４］およびＳＬ［６］の各々のハイレベル期間の切り替わりに合わせて、プリチャージ制御信号ＰＳＬ［３］、ＰＳＬ［５］、ＰＳＬ［７］、ＰＳＬ［２］、ＰＳＬ［４］、ＰＳＬ［６］およびＰＳＬ［８］の各々のハイレベル期間が切り替わる。なお、水平走査期間Ｈｐ［１］では、プリチャージ制御信号ＰＳＬ［１］は、ローレベルに維持される。
【００７６】
水平走査期間Ｈｐ［２］では、２行目の走査線１１０に供給される走査信号Ｇ［２］がハイレベルに設定され、２行目以外の走査線１１０に供給される走査信号Ｇは、ローレベルに維持される。水平走査期間Ｈｐ［２］では、第１系列から第８系列までの各系列の信号線１１１に画像信号Ｓを順番に供給する際の順番が水平走査期間Ｈｐ［１］と異なる。例えば、書き込み選択信号ＳＬ［１］〜ＳＬ［８］の各々のハイレベル期間は、書き込み選択信号ＳＬ［３］、ＳＬ［５］、ＳＬ［７］、ＳＬ［２］、ＳＬ［４］、ＳＬ［６］、ＳＬ［８］およびＳＬ［１］の順に切り替わる。また、書き込み選択信号ＳＬ［３］、ＳＬ［５］、ＳＬ［７］、ＳＬ［２］、ＳＬ［４］、ＳＬ［６］およびＳＬ［８］の各々のハイレベル期間の切り替わりに合わせて、プリチャージ制御信号ＰＳＬ［５］、ＰＳＬ［７］、ＰＳＬ［２］、ＰＳＬ［４］、ＰＳＬ［６］、ＰＳＬ［８］およびＰＳＬ［１］の各々のハイレベル期間が切り替わる。なお、水平走査期間Ｈｐ［２］では、プリチャージ制御信号ＰＳＬ［３］は、ローレベルに維持される。
【００７７】
水平走査期間Ｈｐ［ｍ］では、ｍ行目の走査線１１０に供給される走査信号Ｇ［ｍ］がハイレベルに設定され、ｍ行目以外の走査線１１０に供給される走査信号Ｇは、ローレベルに維持される。図７に示す例では、ｍは８の倍数である。水平走査期間Ｈｐ［ｍ］では、第１系列から第８系列までの各系列の信号線１１１に画像信号Ｓを順番に供給する際の順番が水平走査期間Ｈｐ［１］と異なる。例えば、書き込み選択信号ＳＬ［１］〜ＳＬ［８］の各々のハイレベル期間は、書き込み選択信号ＳＬ［８］、ＳＬ［１］、ＳＬ［３］、ＳＬ［５］、ＳＬ［７］、ＳＬ［２］、ＳＬ［４］およびＳＬ［６］の順に切り替わる。また、書き込み選択信号ＳＬ［８］、ＳＬ［１］、ＳＬ［３］、ＳＬ［５］、ＳＬ［７］、ＳＬ［２］およびＳＬ［４］の各々のハイレベル期間の切り替わりに合わせて、プリチャージ制御信号ＰＳＬ［１］、ＰＳＬ［３］、ＰＳＬ［５］、ＰＳＬ［７］、ＰＳＬ［２］、ＰＳＬ［４］およびＰＳＬ［６］の各々のハイレベル期間が切り替わる。なお、水平走査期間Ｈｐ［ｍ］では、プリチャージ制御信号ＰＳＬ［８］は、ローレベルに維持される。
【００７８】
図７に示す例では、プリチャージが実行されない信号線１１１の系列を、水平走査期間Ｈｐ毎に変更して８個の水平走査期間Ｈｐで一巡させる。電気光学装置１では、プリチャージが実行されない信号線１１１の系列をローテーションすることにより、各系列の信号線１１１に対するプリチャージの回数を均一化することができるため、画質の低下を抑制することができる。
【００７９】
なお、電気光学装置１の動作タイミングは、図７に示す例に限定されない。例えば、各系列の信号線１１１に画像信号Ｓを供給する順番は、図７に示す順番と異なる順番でもよい。
【００８０】
図８は、電気光学装置１の動作の一例を示すフローチャートである。なお、図８に示す動作は、電気光学装置１の駆動方法の一例である。例えば、図８に示す動作は、画像信号Ｓの極性が切り替わる場合に実行される。
【００８１】
先ず、ステップＳ１００では、制御回路２１２は、画像信号Ｓの極性が正極性か否かを判定する。画像信号Ｓの極性が正極性である場合、制御回路２１２の動作は、ステップＳ２００に移る。一方、画像信号Ｓの極性が負極性である場合、制御回路２１２の動作は、ステップＳ３００に移る。
【００８２】
ステップＳ２００では、制御回路２１２は、プリチャージ期間Ｔｐｒｃの開始タイミングを正極性駆動における先行時間ｔｌｐに基づいて設定し、プリチャージ期間Ｔｐｒｃの長さを正極性駆動におけるプリチャージ時間ｔｐｐに設定する。具体的には、制御回路２１２は、書き込み選択信号ＳＬがハイレベルに遷移するタイミングに対して先行時間ｔｌｐだけ先行してプリチャージ制御信号ＰＳＬがハイレベルに遷移するように、プリチャージ制御信号ＰＳＬの動作タイミングを設定する。この結果、プリチャージ期間Ｔｐｒｃの開始タイミングが設定される。また、制御回路２１２は、プリチャージ制御信号ＰＳＬがハイレベルに遷移してからプリチャージ時間ｔｐｐの経過後にローレベルに遷移するように、プリチャージ制御信号ＰＳＬの動作タイミングを設定する。この結果、プリチャージ期間Ｔｐｒｃの長さが設定される。なお、先行時間ｔｌｐおよびプリチャージ時間ｔｐｐは、予め決められている。
【００８３】
ステップＳ３００では、制御回路２１２は、プリチャージ期間Ｔｐｒｃの開始タイミングを負極性駆動における先行時間ｔｌｎに基づいて設定し、プリチャージ期間Ｔｐｒｃの長さを負極性駆動におけるプリチャージ時間ｔｐｎに設定する。なお、先行時間ｔｌｎおよびプリチャージ時間ｔｐｎは、予め決められている。先行時間ｔｌｐは、先行時間ｔｌｎより長い時間であり、プリチャージ時間ｔｐｎは、プリチャージ時間ｔｐｐより短い時間である。
【００８４】
なお、電気光学装置１の動作は、図８に示す例に限定されない。例えば、制御回路２１２は、プリチャージ期間Ｔｐｒｃの長さを正極性駆動と負極性駆動とで共通にし、プリチャージ期間Ｔｐｒｃの開始タイミングを画像信号Ｓの極性に応じて変更してもよい。あるいは、制御回路２１２は、プリチャージ期間Ｔｐｒｃの開始タイミングを正極性駆動と負極性駆動とで共通にし、プリチャージ期間Ｔｐｒｃの長さを画像信号Ｓの極性に応じて変更してもよい。
【００８５】
以上、第１実施形態では、電気光学装置１は、プリチャージ期間Ｔｐｒｃの開始タイミングを画像信号Ｓの極性に応じて変更する制御回路２１２を有する。制御回路２１２は、画像信号Ｓの極性が正極性の場合、画像信号Ｓの極性が負極性の場合に比べて、プリチャージ期間Ｔｐｒｃの開始タイミングを早くする。この場合、プリチャージ期間Ｔｐｒｃの開始タイミングを正極性駆動と負極性駆動とで共通にしている場合に比べて、正極性駆動におけるプリチャージ時間ｔｐｐを負極性駆動におけるプリチャージ時間ｔｐｎより長くすることができる。この結果、プリチャージ期間Ｔｐｒｃの開始タイミングを正極性駆動と負極性駆動とで共通にしている場合に比べて、正極性駆動におけるプリチャージ信号ＰＲＣの書き込み精度と負極性駆動におけるプリチャージ信号ＰＲＣの書き込み精度にバラツキが生じることを抑制することができる。また、正極性駆動におけるプリチャージ期間Ｔｐｒｃの開始タイミングを負極性駆動におけるプリチャージ期間Ｔｐｒｃの開始タイミングより早くするため、プリチャージ期間Ｔｐｒｃの開始タイミングを正極性駆動と負極性駆動とで共通にしている場合に比べて、正極性駆動における安定化時間ｔｓｔｐを長くすることができる。この結果、正極性駆動における画像信号Ｓの書き込み精度の低下を抑制することができる。
【００８６】
また、制御回路２１２は、プリチャージ期間Ｔｐｒｃの長さを画像信号Ｓの極性に応じて変更する。具体的には、制御回路２１２は、画像信号Ｓの極性が負極性の場合、画像信号Ｓの極性が正極性の場合に比べて、プリチャージ期間Ｔｐｒｃの長さを短くする。すなわち、正極性駆動におけるプリチャージ期間Ｔｐｒｃの長さを、負極性駆動におけるプリチャージ期間Ｔｐｒｃの長さよりも長くする。この結果、プリチャージ期間Ｔｐｒｃの長さを正極性駆動と負極性駆動とで共通にしている場合に比べて、正極性駆動におけるプリチャージ信号ＰＲＣの書き込み精度と負極性駆動におけるプリチャージ信号ＰＲＣの書き込み精度にバラツキが生じることを抑制することができる。また、この場合、プリチャージ期間Ｔｐｒｃの長さを正極性駆動と負極性駆動とで共通にしている場合に比べて、負極性駆動における安定化時間ｔｓｔｎを長くすることができる。この結果、負極性駆動における画像信号Ｓの書き込み精度の低下を抑制することができる。
【００８７】
＜変形例＞
第１実施形態は多様に変形され得る。具体的な変形の態様を以下に例示する。以下の例示から任意に選択される２以上の態様は、相互に矛盾しない範囲で適宜に併合され得る。
【００８８】
＜変形例１＞
第１実施形態において、プリチャージ回路１５０は、図９に示すように、表示領域１２０に対して、第１方向Ｄ１の側に配置されてもよい。
【００８９】
図９は、変形例１における電気光学装置１の構成を示すブロック図である。図１から図８で説明済みの要素と同一の要素については、同一の符号を付し、詳細な説明を省略する。図９の第１方向Ｄ１の意味は、図２の第１方向Ｄ１と同じである。
【００９０】
図９に示す電気光学装置１は、電気光学パネル１００内のプリチャージ回路１５０の配置等を除いて、図１の電気光学装置１と同一である。例えば、電気光学装置１は、電気光学パネル１００と、駆動用集積回路２００と、図１のフレキシブル回路基板３００とを有する。駆動用集積回路２００は、図２の駆動用集積回路２００と同一である。
【００９１】
図９に示す電気光学パネル１００は、図２の検査回路１６０の代わりに検査回路１６０Ａを有する。さらに、論理回路１６２が図２の電気光学パネル１００に追加されている。また、プリチャージ回路１５０は、表示領域１２０と検査回路１６０Ａとの間に配置される。図９の電気光学パネル１００のその他の構成は、図２の電気光学パネル１００と同一である。
【００９２】
例えば、電気光学パネル１００は、表示領域１２０、走査線駆動回路１３０、ｋ個のデマルチプレクサー１４０［１］〜１４０［ｋ］、プリチャージ回路１５０、検査回路１６０Ａおよびｋ個の論理回路１６２［１］〜１４０［ｋ］を有する。また、電気光学パネル１００は、ｍ本の走査線１１０、ｎ本の信号線１１１、ｋ本のデータ線１１２、プリチャージ制御信号線１１３、書き込み選択信号線１１４、プリチャージ電源線１１５、図３の容量線１１６およびコモン線１１７等を有する。なお、図９では、図２と同様に、図を見やすくするために、容量線１１６およびコモン線１１７の記載を省略している。以下では、図２の電気光学パネル１００と相違する検査回路１６０Ａおよびｋ個の論理回路１６２［１］〜１４０［ｋ］を中心に説明する。
【００９３】
検査回路１６０Ａは、例えば、シフトレジスターであり、検査対象の信号線１１１を含む信号線群を示す検査制御信号ＳＯＵＴを論理回路１６２に出力する。例えば、プリチャージ選択回路１５２［ｉ］のプリチャージ選択トランジスター１５４に接続される信号線１１１が検査対象として選択される場合、検査回路１６０Ａは、ハイレベルの検査制御信号ＳＯＵＴ［ｉ］を論理回路１６２［ｉ］に出力する。プリチャージ選択回路１５２［ｉ］のプリチャージ選択トランジスター１５４に接続される信号線１１１が検査対象として選択されていない場合、検査回路１６０Ａは、ローレベルの検査制御信号ＳＯＵＴ［ｉ］を論理回路１６２［ｉ］に出力する。なお、通常動作では、検査制御信号ＳＯＵＴ［１］〜ＳＯＵＴ［ｋ］は、ハイレベルに維持される。
【００９４】
各論理回路１６２は、８個の論理積回路１６４［１］〜１６４［８］を有する。論理積回路１６４は、プリチャージ選択トランジスター１５４に対応して設けられる。各論理積回路１６４は、２つの入力端子で受ける信号の論理積の演算結果を出力する。例えば、論理回路１６２［ｉ］の論理積回路１６４［ｊ］の２つの入力端子の一方の端子は、第ｊ系列のプリチャージ制御信号線１１３に接続され、他方の端子には、検査制御信号ＳＯＵＴ［ｉ］が供給される。また、論理回路１６２［ｉ］の論理積回路１６４［ｊ］の出力端子は、プリチャージ選択回路１５２［ｉ］のプリチャージ選択トランジスター１５４［ｊ］のゲートに接続される。
【００９５】
すなわち、論理回路１６２［ｉ］は、プリチャージ制御信号ＰＳＬ［１］〜ＰＳＬ［８］の各々と検査制御信号ＳＯＵＴ［ｉ］との論理積により生成される信号を、プリチャージ選択回路１５２［ｉ］のプリチャージ選択トランジスター１５４［１］〜１５４［８］にそれぞれ出力する。
【００９６】
信号線１１１を検査する検査動作では、論理回路１６２［ｉ］の論理積回路１６４［ｊ］は、検査制御信号ＳＯＵＴ［ｉ］がハイレベルである場合、プリチャージ制御信号ＰＳＬ［ｊ］を、プリチャージ選択回路１５２［ｉ］のプリチャージ選択トランジスター１５４［ｊ］のゲートに出力する。
【００９７】
また、論理回路１６２［ｉ］の論理積回路１６４［ｊ］は、検査制御信号ＳＯＵＴ［ｉ］がローレベルである場合、ローレベルの信号をプリチャージ選択回路１５２［ｉ］のプリチャージ選択トランジスター１５４［ｊ］のゲートに出力する。すなわち、論理回路１６２［ｉ］は、検査制御信号ＳＯＵＴ［ｉ］がローレベルである場合、プリチャージ選択トランジスター１５４を非導通状態に設定する信号を、プリチャージ選択回路１５２［ｉ］のプリチャージ選択トランジスター１５４［１］〜１５４［８］に出力する。
【００９８】
通常動作では、検査制御信号ＳＯＵＴ［１］〜ＳＯＵＴ［ｋ］がハイレベルに維持されるため、論理回路１６２［ｉ］の論理積回路１６４［ｊ］は、プリチャージ制御信号ＰＳＬ［ｊ］を、プリチャージ選択回路１５２［ｉ］のプリチャージ選択トランジスター１５４［ｊ］のゲートに出力する。
【００９９】
なお、変形例１における電気光学装置１の構成は、図９に示す例に限定されない。例えば、各論理回路１６２は、論理積回路１６４の代わりに、論理和回路を有してもよい。この場合、検査制御信号ＳＯＵＴ［１］〜ＳＯＵＴ［ｋ］は、通常動作では、ローレベルに維持される。また、論理積回路１６４の代わりに論理和回路が設けられる構成では、検査動作において、例えば、ハイレベルの検査制御信号ＳＯＵＴ［ｉ］は、プリチャージ選択回路１５２［ｉ］のプリチャージ選択トランジスター１５４に接続される信号線１１１が検査対象として選択されていないことを示す。
【０１００】
＜変形例２＞
第１実施形態および変形例１において、ｎ本の信号線１１１は、ｋ個の信号線群に分類されなくてもよい。
【０１０１】
＜変形例３＞
第１実施形態、変形例１および変形例２において、電気光学パネル１００は、反射型の電気光学装置でもよい。また、電気光学パネル１００は、反射型とする場合、信号線１１１等が形成される素子基板に半導体基板を用いるＬＣＯＳ（Liquid Crystal on Silicon）型としてもよい。
【０１０２】
＜応用例＞
この発明は、各種の電子機器に利用され得る。図１０から図１２は、この発明の適用対象となる電子機器の具体的な形態を例示するものである。
【０１０３】
図１０は、電子機器の一例であるパーソナルコンピューター２０００を示す斜視図である。パーソナルコンピューター２０００は、各種の画像を表示する電気光学装置１と、電源スイッチ２００１やキーボード２００２が設置される本体部２０１０とを有する。
【０１０４】
図１１は、電子機器の一例であるスマートフォン３０００を示す正面図である。スマートフォン３０００は、操作ボタン３００１と、各種の画像を表示する電気光学装置１とを有する。操作ボタン３００１の操作に応じて電気光学装置１に表示される画面内容が変更される。
【０１０５】
図１２は、電子機器の一例である投射型表示装置４０００を示す模式図である。投射型表示装置４０００は、例えば、３板式のプロジェクターである。図１２に示す電気光学装置１ｒは、赤色の表示色に対応する電気光学装置１であり、電気光学装置１ｇは、緑の表示色に対応する電気光学装置１であり、電気光学装置１ｂは、青色の表示色に対応する電気光学装置１である。
【０１０６】
すなわち、投射型表示装置４０００は、赤、緑および青の表示色に各々対応する３個の電気光学装置１ｒ、１ｇ、１ｂを有する。照明光学系４００１は、光源である照明装置４００２からの出射光のうち赤色成分ｒを電気光学装置１ｒに供給し、緑色成分ｇを電気光学装置１ｇに供給し、青色成分ｂを電気光学装置１ｂに供給する。各電気光学装置１ｒ、１ｇ、１ｂは、照明光学系４００１から供給される各単色光を表示画像に応じて変調するライトバルブ等の光変調器として機能する。投射光学系４００３は、各電気光学装置１ｒ、１ｇ、１ｂからの出射光を合成して投射面４００４に投射する。
【０１０７】
前述のパーソナルコンピューター２０００、スマートフォン３０００および投射型表示装置４０００の各々は、前述の電気光学装置１を有するため、表示画像の画質を向上できる。
【０１０８】
なお、本発明が適用される電子機器としては、図１０、図１１および図１２に例示される機器のほか、ＰＤＡ（Personal Digital Assistants）、デジタルスチルカメラ、テレビ、ビデオカメラ、カーナビゲーション装置、車載用の表示器、電子手帳、電子ペーパー、電卓、ワードプロセッサー、ワークステーション、テレビ電話およびＰＯＳ（Point of sale）端末等が挙げられる。さらに、本発明が適用される電子機器としては、プリンター、スキャナー、複写機、ビデオプレーヤーまたはタッチパネルを備える機器等が挙げられる。
【０１０９】
以上、本発明の電気光学装置および電子機器は、前述の各実施形態に限定されない。また、本発明の各部の構成は、前述の実施形態の同様の機能を発揮する任意の構成に置換でき、また、任意の構成を付加できる。
【符号の説明】
【０１１０】
１、１ｂ、１ｇ、１ｒ…電気光学装置、１００…電気光学パネル、１１０…走査線、１１１…信号線、１１２…データ線、１１３…プリチャージ制御信号線、１１４…書き込み選択信号線、１１５…プリチャージ電源線、１１６…容量線、１１７…コモン線、１１８…結合容量、１２０…表示領域、１２２…画素、１２３…液晶素子、１２３ａ…画素電極、１２３ｂ…コモン電極、１２３ｃ…液晶、１２４…保持容量、１２５…画素トランジスター、１３０…走査線駆動回路、１４０…デマルチプレクサー、１４２…書き込み選択トランジスター、１５０…プリチャージ回路、１５２…プリチャージ選択回路、１５４…プリチャージ選択トランジスター、１６０、１６０Ａ…検査回路、１６２…論理回路、１６４…論理積回路、２００…駆動用集積回路、２１０…データ線駆動回路、２１２…制御回路、２２０…プリチャージ電源、３００…フレキシブル回路基板、２０００…パーソナルコンピューター、２００１…電源スイッチ、２００２…キーボード、２０１０…本体部、３０００…スマートフォン、３００１…操作ボタン、４０００…投射型表示装置、４００１…照明光学系、４００２…照明装置、４００３…投射光学系、４００４…投射面、Ｄ１…第１方向。
【図１】
2020085989.tif 000003
【図２】
2020085989.tif 000004
【図３】
2020085989.tif 000005
【図４】
2020085989.tif 000006
【図５】
2020085989.tif 000007
【図６】
2020085989.tif 000008
【図７】
2020085989.tif 000009
【図８】
2020085989.tif 000010
【図９】
2020085989.tif 000011
【図１０】
2020085989.tif 000012
【図１１】
2020085989.tif 000013
【図１２】
2020085989.tif 000014